(57)【要約】【課題】  新制御用計算機と旧制御用計算機とを並列稼動させて、新制御用計算機の機能検証を行うような場合に、どの伝文のどのデータ項目で処理結果が異なっているかをユーザが正確かつ迅速に確認できるようにする。【解決手段】  上位システム３や下位システム５から入力伝文（複数のデータ項目を含むデータ）が並列的に入力される旧制御用計算機１及び新制御用計算機２と、旧制御用計算機１及び新制御用計算機における入力伝文に対する出力伝文を取得することのできる情報処理装置７とを備え、情報処理装置７は、出力伝文のデータ項目名称を含む予め作成された仕様書の情報を格納する伝文フォーマット格納部７１と、仕様書の情報を参照して、旧制御用計算機１及び新制御用計算機における出力伝文にデータ項目名称を紐付ける紐付け部７３とを具備する。【選択図】  図１
2007080201.tif 000002
【特許請求の範囲】
【請求項１】
上位システム及び／又は下位システムから複数のデータ項目を含む入力データが並列的に入力される第１の計算機及び第２の計算機と、
前記第１の計算機及び前記第２の計算機における、前記入力データに対するそれぞれの出力データを取得することのできる情報処理装置とを備え、
前記情報処理装置は、前記出力データのデータ項目名称を含む予め作成された仕様書の情報を格納する格納手段と、前記仕様書の情報を参照して、前記第１の計算機及び前記第２の計算機におけるそれぞれの出力データにデータ項目名称を紐付ける紐付け手段とを具備することを特徴とする情報処理システム。
【請求項２】
前記情報処理装置は、前記第１の計算機及び前記第２の計算機におけるそれぞれの出力データにデータ項目名称を紐付けた状態で表示装置に一覧表示する表示制御手段を備えたことを特徴とする請求項１に記載の情報処理システム。
【請求項３】
前記第１の計算機が旧計算機であり、かつ、前記第２の計算機が前記旧計算機から更新しようとしている新計算機であり、前記旧計算機と前記新計算機とを並列稼動させて、前記新計算機の機能検証を行うものであることを特徴とする請求項１又は２に記載の情報処理システム。
【請求項４】
上位システム及び／又は下位システムから複数のデータ項目を含む入力データが並列的に入力される第１の計算機及び第２の計算機に接続された情報処理装置であって、
前記第１の計算機及び前記第２の計算機における、前記入力データに対するそれぞれの出力データを取得する取得手段と、
前記出力データのデータ項目名称を含む予め作成された仕様書の情報を格納する格納手段と、
前記仕様書の情報を参照して、前記第１の計算機及び前記第２の計算機におけるそれぞれ出力データにデータ項目名称を紐付ける紐付け手段とを備えたことを特徴とする情報処理装置。
【請求項５】
上位システム及び／又は下位システムから複数のデータ項目を含む入力データが入力され、その入力データに対する出力データを出力する旧計算機を新計算機に更新する場合に、前記旧計算機と前記新計算機とを並列稼動させて、前記新計算機の機能検証を行うための新計算機の機能検証支援方法であって、
前記旧計算機及び前記新計算機に前記上位システム及び／又は前記下位システムから複数のデータ項目を含む入力データを並列的に入力するようにシステム構築した上で、
情報処理装置が、前記第１の計算機及び前記第２の計算機における、前記入力データに対するそれぞれの出力データを取得する手順と、
前記情報処理装置が、前記出力データのデータ項目名称を含む予め作成された仕様書の情報を参照して、前記第１の計算機及び前記第２の計算機における出力データにデータ項目名称を紐付ける手順とを有することを特徴とする新計算機の機能検証支援方法。
【請求項６】
上位システム及び／又は下位システムから複数のデータ項目を含む入力データが並列的に入力される第１の計算機及び第２の計算機に接続されたコンピュータに実行させるコンピュータプログラムであって、
前記第１の計算機及び前記第２の計算機における、前記入力データに対するそれぞれの出力データを取得する取得処理と、
前記出力データのデータ項目名称を含む予め作成された仕様書の情報を参照して、前記第１の計算機及び前記第２の計算機におけるそれぞれの出力データにデータ項目名称を紐付ける紐付け処理とをコンピュータに実行させることを特徴とするコンピュータプログラム。
【発明の詳細な説明】
【技術分野】
【０００１】
本発明は、例えば制御用計算機が上位システムや下位システムと伝文をやり取りする制御用計算システムにおいて、その制御用計算機を新たな制御用計算機に更新（リプレース）する場合に利用して好適な情報処理システム、情報処理装置、新計算機の機能検証支援方法、及びコンピュータプログラムに関する。
【背景技術】
【０００２】
大規模製造プラント等の制御用計算機が上位システムや下位システムと伝文をやり取りする制御用計算システムにおいて、その制御用計算機を新たな制御用計算機に更新する場合、新旧の制御用計算機での処理内容に改造が加えられていない限り、両者における処理結果は同一となるはずであるが、新制御用計算機のプログラムミス等により、処理結果が異なってしまうことがある。
【０００３】
そこで、新制御用計算機と旧制御用計算機とを並列稼動させて、両者における処理結果を比較することにより、新制御用計算機の機能検証を行うことがなされている。
【０００４】
例えば特許文献１には、制御設備における制御用計算機更新時の試運転確認システムが開示されており、旧制御用計算機と上位計算機、新制御用計算機及び試運転確認システムを伝送ラインにてパラレルに接続し、更に旧制御用計算機と新制御用計算機は下位制御装置に接続し、伝送ラインから新旧制御用計算機の信号を試運転確認システムにそれぞれ取り込み、両方の信号を比較するようにしている。
【０００５】
【特許文献１】特開２００３−３１６４３３号公報
【発明の開示】
【発明が解決しようとする課題】
【０００６】
特許文献１に開示されている試運転確認システムでは、新旧の制御用計算機における処理結果を自動的に比較確認するようになっているが、どの伝文のどのデータ項目で処理結果が異なっているかをユーザが把握するためには、自動比較された処理結果と、伝文についての仕様書とを照らし合わせながら特定する必要があり、非効率である。
【０００７】
また、新旧の制御用計算機では処理能力（処理速度）に差があるので、新旧の制御用計算機における処理結果を時刻を基準にして自動比較すると、意図しない伝文を比較してしまうことにもなりかねない。
【０００８】
本発明は上記のような点に鑑みてなされたものであり、新制御用計算機と旧制御用計算機とを並列稼動させて、新制御用計算機の機能検証を行うような場合に、どの伝文のどのデータ項目で処理結果が異なっているかをユーザが正確かつ迅速に確認できるようにすることを目的とする。
【課題を解決するための手段】
【０００９】
本発明による情報処理システムは、上位システム及び／又は下位システムから複数のデータ項目を含む入力データが並列的に入力される第１の計算機及び第２の計算機と、前記第１の計算機及び前記第２の計算機における、前記入力データに対するそれぞれの出力データを取得することのできる情報処理装置とを備え、前記情報処理装置は、前記出力データのデータ項目名称を含む予め作成された仕様書の情報を格納する格納手段と、前記仕様書の情報を参照して、前記第１の計算機及び前記第２の計算機におけるそれぞれの出力データにデータ項目名称を紐付ける紐付け手段とを具備する点に特徴を有する。
本発明による情報処理装置は、上位システム及び／又は下位システムから複数のデータ項目を含む入力データが並列的に入力される第１の計算機及び第２の計算機に接続された情報処理装置であって、前記第１の計算機及び前記第２の計算機における、前記入力データに対するそれぞれの出力データを取得する取得手段と、前記出力データのデータ項目名称を含む予め作成された仕様書の情報を格納する格納手段と、前記仕様書の情報を参照して、前記第１の計算機及び前記第２の計算機におけるそれぞれ出力データにデータ項目名称を紐付ける紐付け手段とを備えた点に特徴を有する。
本発明による新計算機の機能検証支援方法は、上位システム及び／又は下位システムから複数のデータ項目を含む入力データが入力され、その入力データに対する出力データを出力する旧計算機を新計算機に更新する場合に、前記旧計算機と前記新計算機とを並列稼動させて、前記新計算機の機能検証を行うための新計算機の機能検証支援方法であって、前記旧計算機及び前記新計算機に前記上位システム及び／又は前記下位システムから複数のデータ項目を含む入力データを並列的に入力するようにシステム構築した上で、情報処理装置が、前記第１の計算機及び前記第２の計算機における、前記入力データに対するそれぞれの出力データを取得する手順と、前記情報処理装置が、前記出力データのデータ項目名称を含む予め作成された仕様書の情報を参照して、前記第１の計算機及び前記第２の計算機における出力データにデータ項目名称を紐付ける手順とを有する点に特徴を有する。
本発明によるコンピュータプログラムは、上位システム及び／又は下位システムから複数のデータ項目を含む入力データが並列的に入力される第１の計算機及び第２の計算機に接続されたコンピュータに実行させるコンピュータプログラムであって、前記第１の計算機及び前記第２の計算機における、前記入力データに対するそれぞれの出力データを取得する取得処理と、前記出力データのデータ項目名称を含む予め作成された仕様書の情報を参照して、前記第１の計算機及び前記第２の計算機におけるそれぞれの出力データにデータ項目名称を紐付ける紐付け処理とをコンピュータに実行させる点に特徴を有する。
【発明の効果】
【００１０】
本発明によれば、第１の計算機及び第２の計算機における出力データにデータ項目名称を紐付けるようにしたので、例えば新制御用計算機と旧制御用計算機とを並列稼動させて、新制御用計算機の機能検証を行うような場合に、ユーザは、どの伝文のどのデータ項目で処理結果が異なっているかを正確かつ迅速に確認することができる。
【発明を実施するための最良の形態】
【００１１】
以下、添付図面を参照して、本発明の好適な実施形態について説明する。
図１は、本実施形態の情報処理システムの概略構成を示す図である。図１に示す情報処理システムは、制御用計算機１が上位システム３及び下位システム５と伝文をやり取りする制御用計算システムにおいて（図２を参照）、制御用計算機１を新たな制御用計算機２に更新する場合に、その新たな制御用計算機２の機能検証を行うのに利用されるものである。
【００１２】
ここで、伝文とは、複数のデータ項目を含むデータのことである。本実施形態では、図２に示すように、鉄鋼プラントにおける転炉操業を制御するための制御用計算システムを例にして説明する。上位システム３と制御用計算機１との間では、上位伝送として、装入量計算情報伝文、ＴＰＣ払出し情報伝文、主原料情報伝文、吹錬開始情報伝文、吹錬終了情報伝文、出鋼開始情報伝文、出鋼完了情報伝文、取鍋リアル情報伝文、吹錬実績I伝文、吹錬実績II伝文・・・、といった名称の上位伝文がやり取りされる。各伝文には複数のデータ項目が含まれており、例えばＴＰＣ払出し情報伝文には、レングス、スタートコード、ＦＩＬＬＥＲ、制御フィールド、予備、相手先、送信元、情報種類、ブロック順・・・等、といった名称のデータ項目が含まれている。
【００１３】
同様に、下位システム５と制御用計算機１との間では、下位伝送として、ＥＩ−ＧＷ立上げ完了伝文、Ｐ／Ｃ画面リクエスト情報伝文、副原料次チャージ伝送要求伝文、ステータス情報伝文、サブランス測定情報伝文、吹錬実績伝文、ランスハイト実績伝文、ＳＳＣランスハイト実績伝文、副原料投入実績伝文、ＯＢ実績情報伝文・・・、といった名称の下位伝文がやり取りされる。各伝文には複数のデータ項目が含まれており、例えばＰ／Ｃ画面リクエスト情報伝文には、レングス、スタートコード、ＦＩＬＬＥＲ、制御フィールド、予備、相手先、送信元、情報種類、ブロック順・・・、といった名称のデータ項目が含まれている。
【００１４】
図１において、１は旧制御用計算機である。旧制御用計算機１は、旧制御用計算機１における入出力伝文を蓄積するための記録装置１ａを備える。
【００１５】
２は旧制御用計算機１から更新しようとしている新制御用計算機である。新制御用計算機２は、新制御用計算機２における入出力伝文を蓄積するための記録装置２ａを備える。
【００１６】
３はプロセスコンピュータ等の既設の上位システムであり、ミラーポート付きのハブ４を介して旧制御用計算機１と新制御用計算機２とにパラレルに接続する。
【００１７】
５は電気計装等の既設の下位システムであり、ミラーポート付きのハブ６を介して旧制御用計算機１と新制御用計算機２とにパラレルに接続する。
【００１８】
７はハブ４及びハブ６を介して旧制御用計算機１及び新制御用計算機２に接続する情報処理装置であり、旧制御用計算機１と新制御用計算機２とを並列稼動させて、新制御用計算機２の機能検証を行うに際して、その機能検証を支援するためのものである。情報処理装置７は表示装置７ａを備える。
【００１９】
図１において、上位システム３からハブ４を介して旧制御用計算機１に入力伝文が入力されると（実線の矢印Ｉ1）、その入力伝文がハブ４を介して新制御用計算機２にも並列的に入力される（実線の矢印Ｉ2）。
【００２０】
また、旧制御用計算機１における入力伝文に対する出力伝文が上位システム３に出力され（点線の矢印Ｏ1）、転炉操業がそのまま継続される。この場合に、旧制御用計算機１における入出力伝文が最新のものから過去一定時間分だけ該計算機１内の記録部に記録されるとともに、それより過去の分については記録装置１ａに蓄積される（伝文２ファイル）。
【００２１】
それに対して、新制御用計算機２における入力伝文に対する出力伝文は上位システム３に出力されないが、新制御用計算機２における入出力伝文が最新のものから過去一定時間分だけ該計算機２内の記録部に記録されるとともに、それより過去の分については記録装置２ａに蓄積される（伝文１ファイル）。
【００２２】
さらに、情報処理装置７からの要求に応じて、旧制御用計算機１における入出力伝文がハブ４を介して情報処理装置７に出力される（点線の矢印Ｏ2）。同様に、新制御用計算機２における入出力伝文がハブ４を介して情報処理装置７に出力される（点線の矢印Ｏ3）。
【００２３】
なお、下位システム５とのやり取りも上位システム３の場合と同様であり、ここではその詳細な説明は省略する。
【００２４】
図３には、情報処理装置７の機能構成を示す。７１は、ユーザが伝文ごとに作成した仕様書に基づく伝文フォーマットを格納する伝文フォーマット格納部（フォルダ）である。ここで、図４に仕様書の一例を示す。同図に示すのは、「合金秤量プリセット」という名称の伝文（下位伝送）の仕様書の一部である。仕様書では、データ項目ごとに、データ項目名称、型、単位、バイト数、データ仕様・説明、データの下限及び上限、入／出力ファイル、備考の各欄が設定される。また、各伝文には、伝文ごとにユニークな番号（メッセージＮｏ．）が付され、図示例の伝文「合金秤量プリセット」にはメッセージＮｏ．「１２６１」が付されている。このようにした仕様書が伝文ごとに作成され、それに基づく伝文フォーマットが伝文フォーマット格納部７１に格納される。
【００２５】
図３の７２は、旧制御用計算機１における入出力伝文及び新制御用計算機２における入出力伝文を取得する取得部である（図１の点線の矢印Ｏ2、矢印Ｏ3）。
【００２６】
７３は、伝文フォーマット格納部７１に格納された伝文フォーマットを参照して、取得部７２により取得された旧制御用計算機１における入出力伝文及び新制御用計算機２における入出力伝文に伝文名称、さらにはデータ項目名称を紐付ける紐付け部である。
【００２７】
７４は、指定された伝文に含まれるデータ項目ごとに新旧の制御用計算機１、２におけるデータ値を比較する比較チェック部である。
【００２８】
７５は、旧制御用計算機１における入出力伝文及び新制御用計算機２における入出力伝文に伝文名称、さらにはデータ項目名称を紐付けた状態で表示装置７ａに一覧表示等する表示制御部である。
【００２９】
図５には、情報処理装置７の表示装置７ａに表示される画面の一例を示す。この画面において、格納フォルダ指定部１０１では伝文フォーマットを格納するフォルダを指定する。例えば伝文フォーマットが上位伝送フォルダ、下位伝送フォルダに分けられている場合は、そのいずれかを指定する。
【００３０】
伝文読込み部１０２では伝文ファイルを指定する。新制御用計算機２の機能検証を行う場合は、新制御用計算機２（新設）の伝文ファイル（伝文１ファイル）と、旧制御用計算機１（既設）の伝文ファイル（伝文２ファイル）とを指定する。なお、２つの伝文ファイルを指定できるが、比較検証でなく、旧制御用計算機１或いは新制御用計算機２いずれかにおける入出力伝文を確認したいような場合は、１つの伝文ファイルだけを指定することも可能である。
【００３１】
時刻設定部１０３では検索開始時刻、検索終了時刻を入力設定する。なお、検索開始時刻及び検索終了時刻は、両方を設定することも、いずれかのみを設定することも、設定なしとするも可能である。
【００３２】
このようにして伝文フォーマットを格納するフォルダ及び伝文ファイルの指定、時刻設定を行った後、「伝文１読込み」ボタン１０４を押下すると、表示エリア１０５には、新制御用計算機２における入出力伝文に伝文名称が紐付けられた状態で一覧表示される（伝文一覧）。具体的には、時刻設定部１０２で設定された期間内に新制御用計算機２で受信（RECV）した伝文と、送信（SEND）した伝文とが、伝文名称やメッセージＮｏ．や送受信時刻とともに一覧表示される。
【００３３】
同様に、「伝文２読込み」ボタン１０６を押下すると、表示エリア１０７には、旧制御用計算機２における入出力伝文に伝文名称が紐付けられた状態で一覧表示される。
【００３４】
図６は、「伝文１読込み」ボタン１０４が押下された場合の処理動作を説明するためのフローチャートである。「伝文１読込み」ボタン１０４が押下されると（ステップＳ６０１）、まず格納フォルダ指定部１０１で伝文フォーマットを格納するフォルダが指定されたかどうかを判断し（ステップＳ６０２）、指定されていない場合はその旨を画面上で通知する（ステップＳ６０３）。
【００３５】
伝文フォーマットを格納するフォルダが指定されている場合、続いて伝文１ファイル（新制御用計算機２における入出力伝文のファイル）が指定されたかどうかを判断し（ステップＳ６０４）、指定されていない場合はその旨を画面上で通知する（ステップＳ６０５）。
【００３６】
伝文１ファイルが指定されている場合、伝文名称を紐付けた状態で伝文１ファイルから伝文一覧ファイルを生成した後（ステップＳ６０６）、検索開始時刻が設定されているかどうかを判断し（ステップＳ６０７）、続いて検索終了時刻が設定されているかどうかを判断する（ステップＳ６０８、Ｓ６０９）。
【００３７】
検索開始時刻及び検索終了時刻の両方が設定されている場合は、図５に示すように、その期間内の伝文一覧を表示エリア１０５に表示する（ステップＳ６１０）。検索開始時刻のみが設定されている場合は、検索開始時刻から現在までの伝文一覧を表示エリア１０５に表示する（ステップＳ６１１）。検索終了時刻のみが設定されている場合は、検索終了時刻までの伝文一覧を表示エリア１０５に表示する（ステップＳ６１２）。検索開始時刻及び検索終了時刻が設定されていない場合は、過去の伝文一覧すべてを表示エリア１０５に表示する（ステップＳ６１３）。
【００３８】
なお、「伝文２読込み」ボタン１０６が押下された場合の処理動作も図６のフローチャートと同様であり、ここではその詳細な説明は省略する。
【００３９】
ここで、図５に示したように、表示エリア１０５に新制御用計算機２の伝文一覧が表示され、かつ、表示エリア１０７に旧制御用計算機１の伝文一覧が表示された状態で、これら表示エリア１０５、１０７において比較したい伝文を選択指定することができる。図示例では、表示エリア１０５、１０７の伝文一覧から伝文「合金秤量プリセット」が選択指定されている。
【００４０】
図示例では表示エリア１０５、１０７の伝文「合金秤量プリセット」の送信時刻は一致しているが、既述したように新旧の制御用計算機では処理能力（処理速度）に差があるので、時刻を基準にすると、意図しない伝文を比較してしまうことにもなりかねない。それに対して、本実施形態では、伝文名称が紐付けられた状態で一覧表示されているので、伝文名称や前後の伝文との関係から、意図しない伝文を比較してしまう不都合を避けることができる。
【００４１】
このようにして比較したい伝文を選択指定した後、「伝文比較／表示」ボタン１０８を押下すると、図７に示すように、伝文「合金秤量プリセット」に含まれるデータ項目ごとに、データ項目名称、型、単位、バイト数、新制御用計算機２におけるデータ値（伝文１）、旧制御用計算機１におけるデータ値（伝文２）が一覧表示される。さらに、比較チェック部７４による比較の結果として、伝文１と伝文２とでデータ値の異なるデータ項目については「ＮＧ」の文字１０９が付記される（伝文比較一覧）。
【００４２】
図８は、「伝文比較／表示」ボタン１０８が押下された場合の処理動作を説明するためのフローチャートである。「伝文比較／表示」ボタン１０８が押下されると（ステップＳ８０１）、表示エリア１０５、１０７において比較する伝文が選択指定されているかどうかを判断し（ステップＳ８０２）、選択指定されていない場合はその旨を画面上で通知する（ステップＳ８０３）。比較する伝文が選択指定されている場合、伝文１に含まれるデータ項目と伝文２に含まれるデータ項目との比較チェックを行い（ステップＳ８０４）、図７に示すように、伝文比較一覧を表示する（ステップＳ８０５）。
【００４３】
以上述べたように、表示エリア１０５に新制御用計算機２の伝文一覧が伝文名称を含んだかたちで表示され、かつ、表示エリア１０７に旧制御用計算機１の伝文一覧が伝文名称を含んだかたちで表示されるので、ユーザは一目で新制御用計算機２及び旧制御用計算機１における入出力伝文を把握することができる。
【００４４】
そして、新制御用計算機２の伝文一覧及び旧制御用計算機１の伝文一覧から比較したい伝文を選択指定すれば、その伝文に含まれるデータ項目がデータ項目名称とともに一覧表示されるので、ユーザは、仕様書等を照らし合わせるような手間をかけることなく、画面表示を見るだけで、どのデータ項目で新制御用計算機２と旧制御用計算機１とで処理結果が異なっているかを正確かつ迅速に確認することができる。
【００４５】
さらに、比較チェック部７４による比較の結果として、新制御用計算機２と旧制御用計算機１とでデータ値の異なるデータ項目については「ＮＧ」の文字１０９が自動的に付記されるようになっているので、視認性をさらに高めることができる。
【００４６】
以上述べた本実施形態の情報処理システムでは、上述した一覧表示（伝文一覧、伝文比較一覧）だけでなく、以下に説明する表示も可能となっている。図９は、図５に示す画面をスクロールした状態であり、「メッセージＮｏ．で表示」ボタン１１０が設定されている。コンボボックス１１１からメッセージＮｏ．を指定した後に、「メッセージＮｏ．で表示」ボタン１１０を押下すると、図１０に示すように、表示エリア１０５や表示エリア１０７（図示例では表示エリア１０７のみ）には、指定されたメッセージＮｏ．に対応する伝文一覧が表示される。図示例では、コンボボックス１１１からメッセージＮｏ．「１２６１」が指定されている。この場合、図１０に示すように、表示エリア１０７には、そのメッセージＮｏ．に対応する伝文「合金秤量プリセット」の一覧が表示される。なお、本実施形態では、最大４つの伝文のメッセージＮｏ．が指定可能となっている。
【００４７】
図１１は、「メッセージＮｏ．で表示」ボタン１１０が押下された場合の処理動作を説明するためのフローチャートである。メッセージＮｏ．が指定された状態で（ステップＳ１１０１）、「メッセージＮｏ．で表示」ボタン１１０が押下されると（ステップＳ１１０２）、表示エリア１０５、１０７の両方に伝文一覧が表示されているか、いずれか一方だけの伝文一覧が表示されているかが判断される（ステップＳ１１０３、Ｓ１１０４、Ｓ１１０５）。
【００４８】
そして、表示エリア１０５、１０７の両方に伝文一覧が表示されている場合は、表示エリア１０５、１０７の両方に指定されたメッセージＮｏ．に対応する伝文一覧を表示する（ステップＳ１１０６）。それに対して、表示エリア１０５、１０７のいずれか一方だけに伝文一覧が表示されている場合は、その表示エリアだけに指定されたメッセージＮｏ．に対応する伝文一覧を表示する（ステップＳ１１０７）。図９、１０の例では、表示エリア１０７だけに伝文一覧が表示されており、表示エリア１０７にメッセージＮｏ．「１２６１」対応する伝文「合金秤量プリセット」の一覧が表示されている。
【００４９】
また、図５に示すように、「連続表示」ボタン１１２が設定されている。表示エリア１０７の伝文一覧から伝文を選択指定した後に、「連続表示」ボタン１１２を押下すると、図１２に示すように、その選択指定された伝文に含まれるデータ項目ごとに、項目名称、型、単位、バイト数、データ値の変遷が一覧表示される（連続表示）。
【００５０】
図１３は、「連続表示」ボタン１１２が押下された場合の処理動作を説明するためのフローチャートである。「連続表示」ボタン１１２が押下されると（ステップＳ１３０１）、表示エリア１０７において伝文が選択指定されているかどうかを判断し（ステップＳ１３０２）、選択指定されていない場合はその旨を画面上で通知する（ステップＳ１３０３）。伝文が選択指定されている場合、図１２に示すように、連続表示を表示する（ステップＳ１３０５）。
【００５１】
これら図９〜１３で説明した機能は、旧制御用計算機１と新制御用計算機２とを並列稼動させて、新制御用計算機２の機能検証を行うためだけでなく、例えば新制御用計算機２の機能検証が済んで、旧制御用計算機１を撤去した後に、新制御用計算機２における入出力伝文をチェックするために利用することも可能である。
【００５２】
なお、以上述べた実施形態の情報処理装置７００は、具体的にはコンピュータシステム或いは装置により構成されるものである。したがって、上述した機能を実現するソフトウェアのプログラムコードを記録した記憶媒体をシステム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００５３】
この場合、記憶媒体から読み出されたプログラムコード自体が上述した実施形態の機能を実現することになり、プログラムコード自体及びそのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【図面の簡単な説明】
【００５４】
【図１】本実施形態の情報処理システムの概略構成を示す図である。
【図２】制御用計算システムの概略構成を示す図である。
【図３】情報処理装置の機能構成を示す図である。
【図４】仕様書の一例を示す図である。
【図５】情報処理装置の表示装置に表示される画面の一例を示す図である。
【図６】「伝文１読込み」ボタンが押下された場合の処理動作を説明するためのフローチャートである。
【図７】「伝文比較／表示」ボタンを押下したときの画面の一例を示す図である。
【図８】「伝文比較／表示」ボタンが押下された場合の処理動作を説明するためのフローチャートである。
【図９】情報処理装置の表示装置に表示される画面の一例であり、図５に示す画面をスクロールした状態を示す図である。
【図１０】「メッセージＮｏ．で表示」ボタンを押下したときの画面の一例を示す図である。
【図１１】「メッセージＮｏ．で表示」ボタンが押下された場合の処理動作を説明するためのフローチャートである。
【図１２】「連続表示」ボタンを押下したときの画面の一例を示す図である。
【図１３】「連続表示」ボタンが押下された場合の処理動作を説明するためのフローチャートである。
【符号の説明】
【００５５】
１    旧制御用計算機
１ａ  記録装置
２    新制御用計算機
２ａ  記録装置
３    上位システム
４    ハブ
５    下位システム
６    ハブ
７    情報処理装置
７１  伝文フォーマット格納部
７２  取得部
７３  紐付け部
７４  比較チェック部
７５  表示制御部
【図１】
2007080201.tif 000003
【図２】
2007080201.tif 000004
【図３】
2007080201.tif 000005
【図４】
2007080201.tif 000006
【図５】
2007080201.tif 000007
【図６】
2007080201.tif 000008
【図７】
2007080201.tif 000009
【図８】
2007080201.tif 000010
【図９】
2007080201.tif 000011
【図１０】
2007080201.tif 000012
【図１１】
2007080201.tif 000013
【図１２】
2007080201.tif 000014
【図１３】
2007080201.tif 000015